(57)【特許請求の範囲】
【請求項１】
収容空間部を連通する第１開口部と第２開口部とを有する収容部材と、
前記第２開口部から前記収容空間部に挿入されて、前記収容空間部に収容される、複数の電子部品と、
前記第１開口部から前記収容空間部に挿入されて、前記収容空間部に収容され、かつ矩形部を有する平板状のバスバーと、を備え、
前記収容部材は、前記収容空間部において、前記収容空間部を構成する周壁のうち、対向する内壁面を連結し、前記収容空間部を分割して分割空間部を形成する隔壁を備え、
前記隔壁は、前記第１開口部側の端部から前記第２開口部に向かって、隣り合う前記分割空間部を連通するスリットが設けられ、
前記バスバーは、前記矩形部が前記スリットに挿入された状態で保持されることで、前記矩形部が前記分割空間部の内部に露出し、
前記電子部品は、前記分割空間部の内部に個々に収容され、かつ露出した前記矩形部に接続されることを特徴とする、
電子部品ユニット。
【請求項２】
電線等の接続処理用部品を構成する端子金具、リレー、抵抗等の電装品を集約して内部に収容する筐体と、
前記筐体の筐体内部空間部に収容される電子部品ユニットと、を備え、
前記電子部品ユニットは、前記電子部品ユニットの収容空間部を連通する第１開口部と第２開口部とを有する収容部材と、前記第２開口部から前記収容空間部に挿入されて、前記収容空間部に収容される、複数の電子部品と、
前記第１開口部から前記収容空間部に挿入されて、前記収容空間部に収容され、かつ矩形部を有する平板状のバスバーと、を備え、
前記収容部材は、前記収容空間部において、前記収容空間部を構成する周壁のうち、対向する内壁面を連結し、前記収容空間部を分割して分割空間部を形成する隔壁を備え、
前記隔壁は、前記第１開口部側の端部から前記第２開口部に向かって、隣り合う前記分割空間部を連通するスリットが設けられ、
前記バスバーは、前記矩形部が前記スリットに挿入されて保持されることで、前記矩形部が前記分割空間部の内部に露出し、
前記電子部品は、前記分割空間部の内部に個々に収容され、かつ露出した前記矩形部に接続されることを特徴とする、
電気接続箱。
【発明の詳細な説明】
【技術分野】
【０００１】
本発明は、電子部品ユニット、及び電気接続箱に関する。
【背景技術】
【０００２】
従来、自動車等の車両に搭載され、バッテリなどの電源からの電力を各電子機器に分配する電気接続箱が知られている。この種の電気接続箱として、ヒュージブルリンク、ヒューズやリレーなどの電子部品が実装されたバスバーと、当該バスバーを内部に収容する収容部材と、を備える電子部品ユニット、及び当該電子部品ユニットを収容する筐体とを備える電気接続箱が知られている（特許文献１参照）。
【０００３】
ところで、上記電子部品ユニットは、複数の電子部品を備え、例えば電源からの電力端子等の単独の電気接続部に対し、全ての電子部品を電気的に接続しなければならない場合がある。この場合、バスバーは、電子部品ごとのタブ部と、各タブ部と接続する１つの接続部を有する。具体的には、バスバーが有する各タブ部は、矩形状に形成され、かつ電子部品の挿入方向の端部が、帯状に形成された接続部と連結されている。一方、収容部材は、隔壁により、内部空間部が分割され、分割空間部（キャビティ）が形成されている。バスバーを収容部材に収容したとき、各タブ部は、各分割空間部の内部に位置する。そして、各分割空間部の内部の各タブ部に、分割空間部の内部に収容された電子部品が装着され、各タブ部及び電子部品が、各分割空間部の内部で電気的に接続される。
【先行技術文献】
【特許文献】
【０００４】
【特許文献１】特開２０１１−１５５７６２号公報
【発明の概要】
【発明が解決しようとする課題】
【０００５】
しかしながら、上記バスバーは、複数のタブ部と、１つの接続部により構成されているため、外形形状が複雑になってしまう点で改善の余地がある。
【０００６】
本発明は上記に鑑みてなされたものであり、各分割空間部の内部でバスバーを各電子部品と電気的にそれぞれ接続することができるとともに、バスバーの外形形状を簡易化することができる電子部品ユニット、及び電気接続箱を提供することを目的とする。
【課題を解決するための手段】
【０００７】
上記目的を達成する為、本発明に係る電子部品ユニットは、収容空間部を連通する第１開口部と第２開口部とを有する収容部材と、前記第２開口部から前記収容空間部に挿入されて、前記収容空間部に収容される、複数の電子部品と、前記第１開口部から前記収容空間部に挿入されて、前記収容空間部に収容され、かつ矩形部を有する平板状のバスバーと、を備え、前記収容部材は、前記収容空間部において、前記収容空間部を構成する周壁のうち、対向する内壁面を連結し、前記収容空間部を分割して分割空間部を形成する隔壁を備え、前記隔壁は、前記第１開口部側の端部から前記第２開口部に向かって、隣り合う前記分割空間部を連通するスリットが設けられ、前記バスバーは、前記矩形部が前記スリットに挿入された状態で保持されることで、前記矩形部が前記分割空間部の内部に露出し、前記電子部品は、前記分割空間部の内部に個々に収容され、かつ露出した前記矩形部に接続されることを特徴とする。
【０００８】
また、上記目的を達成するため、本発明に係る電気接続箱は、電線等の接続処理用部品を構成する端子金具、リレー、抵抗等の電装品を集約して内部に収容する筐体と、前記筐体の筐体内部空間部に収容される電子部品ユニットと、を備え、前記電子部品ユニットは、前記電子部品ユニットの収容空間部を連通する第１開口部と第２開口部とを有する収容部材と、前記第２開口部から前記収容空間部に挿入されて、前記収容空間部に収容される、複数の電子部品と、前記第１開口部から前記収容空間部に挿入されて、前記収容空間部に収容され、かつ矩形部を有する平板状のバスバーと、を備え、前記収容部材は、前記収容空間部において、前記収容空間部を構成する周壁のうち、対向する内壁面を連結し、前記収容空間部を分割して分割空間部を形成する隔壁を備え、前記隔壁は、前記第１開口部側の端部から前記第２開口部に向かって、隣り合う前記分割空間部を連通するスリットが設けられ、前記バスバーは、前記矩形部が前記スリットに挿入されて保持されることで、前記矩形部が前記分割空間部の内部に露出し、前記電子部品は、前記分割空間部の内部に個々に収容され、かつ露出した前記矩形部に接続されることを特徴とする。
【発明の効果】
【０００９】
本発明に係る電子部品ユニット、及び電気接続箱においては、収容部材における隣り合う分割空間部に挟まれた隔壁に、バスバーの矩形部を挿入するスリットを設けることにより、各分割空間部の内部に矩形部を露出させることができるので、各分割空間部において収容されている各電子部品をバスバーの矩形部と電気的に接続することができる。これにより、各分割空間部の内部でバスバーを各電子部品と電気的にそれぞれ接続することができるとともに、バスバーの外形形状を簡易化することができる。
【図面の簡単な説明】
【００１０】
【図１】図１は、実施形態１に係る電子部品ユニット及び電気接続箱の概略構成を表す部分斜視図である。
【図２】図２は、実施形態１に係る電子部品ユニットの分解斜視図である。
【図３】図３は、実施形態１に係る電子部品ユニットの断面図である。
【図４】図４は、実施形態１に係る電子部品ユニットの断面図である。
【図５】図５は、実施形態２に係るバスバーの斜視図である。
【図６】図６は、実施形態２に係るバスバーの模式図である。
【発明を実施するための形態】
【００１１】
以下に、本発明に係る電子部品ユニット、及び電気接続箱の実施形態を図面に基づいて詳細に説明する。なお、この実施形態によりこの発明が限定されるものではない。また、下記の実施形態における構成要素には、当業者が容易に想定できるもの、あるいは実質的に同一のものが含まれる。また、下記の実施形態における構成要素は、発明の要旨を逸脱しない範囲で、種々の省略、置き換え、変更を行うことができる。
【００１２】
［実施形態１］
まず、実施形態１に係る電子部品ユニット、及び電気接続箱について説明する。図１は、実施形態１に係る電子部品ユニット及び電気接続箱の概略構成を表す部分斜視図である。図２は、実施形態１に係る電子部品ユニットの分解斜視図である。図３は、実施形態１に係る電子部品ユニットの断面図である。図４は、実施形態１に係る電子部品ユニットの断面図である。ここで、図３は図１におけるＳ−Ｓ断面図であり、図４は図１におけるＲ−Ｒ断面図である。また、各図のＸ方向は、本実施形態における電子部品ユニットの長手方向である。Ｙ方向は、本実施形態における電子部品ユニットの幅方向であり、長手方向と直交する方向である。Ｚ方向は、本実施形態における電子部品ユニットの上下方向であり、幅方向、及び長手方向と直交する方向である。Ｚ１方向は、上方向である。Ｚ２方向は、下方向である。
【００１３】
電気接続箱１００は、筐体１０１と、筐体１０１によって形成される筐体内部空間部１０２を有する。電気接続箱１００は、図１に示すように、筐体内部空間部１０２に電子部品ユニット１を少なくとも１つ収容して、自動車に配索される図示しないワイヤハーネスに組み込まれ、電線等の接続処理用部品を構成する端子金具、リレー、抵抗等の電装品を集約して内部に収容するものである。電気接続箱１００は、バッテリなどの電源から供給された電力を車両内の各種電子機器に分配する。なお、電気接続箱１００は、ジャンクションボックス、ヒューズボックス、リレーボックスなどとも呼ばれる場合があるが、本実施形態ではこれらを総称して電気接続箱と呼ぶ。
【００１４】
本実施形態における電子部品ユニット１は、図示しない電源から供給された電力を車両内の各種電子機器に分配する電力分配回路の一部を構成するものである。電子部品ユニット１は、収容部材２と、バスバー３と、複数の端子４と、複数の電子部品５と、を備える。
【００１５】
収容部材２は、バスバー３、端子４、電子部品５を内部に収容する部材である。収容部材２は、電気接続箱１００に収容される前に、バスバー３、端子４、電子部品５を予め内部に組み付けておくことで、取扱いを容易にするものである。収容部材２は、例えば、合成樹脂製であり、図１及び図４に示すように、内部空間部２ａと、周壁２０と、位置決め底板２１と、仕切板２２と、端子仕切板２３と、突起部２４と、隔壁２５とを有する。
【００１６】
内部空間部２ａは、電源空間部２ｂと、収容空間部２ｃとを有する。周壁２０は、収容空間部２ｃを形成するものである。周壁２０は、複数の壁部から構成され、壁部が互いに連なって、略ロの字型の筒状を形成する。収容部材２は、周壁２０により収容空間部２ｃを上下方向の両端部において外部に連通させ、下方側に形成された開口部である下側開口部（第１開口部）２ｄと、上方側に形成された開口部である上方側開口部（第２開口部）２ｅと、を有する。周壁２０は、電源空間部２ｂと収容空間部２ｃとの境界となる壁部にスリットが形成されており、電源空間部２ｂと収容空間部２ｃとがスリットを介して連通される。収容空間部２ｃには、位置決め底板２１と、仕切板２２と、端子仕切板２３と、突起部２４と、隔壁２５とが設けられている。
【００１７】
位置決め底板２１は、図３及び図４に示すように、収容空間部２ｃに収容された電子部品５の下方側端部と接して、電子部品５の上下方向（Ｚ方向）の位置を決定するものである。位置決め底板２１は、平板状に形成され、長手方向（Ｘ方向）における両端部が周壁２０の長手方向において対向する内壁面２０ａと内壁面２０ｂとに連結して形成される。位置決め底板２１は、幅方向（Ｙ方向）における内壁面２０ｃ側（バスバー３側）の端部が内壁面２０ｃと連結し、内壁面２０ｄ側（端子４側）の端部が内壁面２０ｄと離間して形成される。位置決め底板２１の幅方向における幅は、端子４側の端部と内壁面２０ｄとの間を端子４が貫通することができる幅に形成されている。位置決め底板２１は、上下方向において、図１及び図４に示すように、電子部品５を収容空間部２ｃに収容したとき、電子部品５の上方側端面が上方側開口部２ｅから突出するように形成される。ここで、収容空間部２ｃは、位置決め底板２１によって、位置決め底板２１を境界に、上方側空間部２ｆと下方側空間部２ｇに区画される。位置決め底板２１は、図３及び図４に示すように、スリット２１ａが形成される。スリット２１ａは、上下方向において、位置決め底板２１を貫通して形成され、上方側空間部２ｆと下方側空間部２ｇとがスリット２１ａを介して連通される。スリット２１ａは、内壁面２０ａから内壁面２０ｂまで、長手方向全体に亘って形成される。スリット２１ａの幅方向における幅は、バスバー３を収容空間部２ｃに挿入したとき、バスバー３の後述する矩形部３０が貫通することができる幅に形成されている。
【００１８】
仕切板２２は、図４に示すように、下方側空間部２ｇに設けられる。仕切板２２は、幅方向において、下方側空間部２ｇをバスバー３が挿入されるバスバー側空間部２ｈと、端子４が挿入される端子側空間部２ｉとに、区画するものである。仕切板２２は、平板状に形成され、長手方向における両端部が内壁面２０ａと内壁面２０ｂとに連結して形成される。仕切板２２は、位置決め底板２１の端子４側の端部から下方側開口部２ｄまで、下方向に延在して形成される。つまり、収容空間部２ｃには、幅方向から見た場合に、位置決め底板２１及び仕切板２２により、内壁面２０ｃから突出した逆Ｌ字状の板（壁）が、長手方向全体に亘って形成されている。従って、バスバー側空間部２ｈと上方側空間部２ｆとは位置決め底板２１より区画されるが、端子側空間部２ｉと上方側空間部２ｆとは区画されない。
【００１９】
端子仕切板２３は、図４に示すように、端子側空間部２ｉに設けられる。端子仕切板２３は、長手方向において、複数形成されており、端子側空間部２ｉを長手方向において分割して、複数の端子側分割空間部２ｊを形成するものである。本実施形態における各端子側分割空間部２ｊは、長手方向において等間隔に形成されており、端子４が個々に収容される。端子仕切板２３は、平板状であり、幅方向において仕切板２２と内壁面２０ｄと連結して形成される。端子仕切板２３は、上下方向において、仕切板２２の上方側端部から下方側開口部２ｄまで、下方向に延在して形成される。
【００２０】
突起部２４は、図４に示すように、各端子側分割空間部２ｊにそれぞれ設けられる。突起部２４は、位置決め底板２１とともに、収容空間部２ｃに収容された電子部品５の下方側端部と接して、電子部品５の上下方向の位置を決定するものである。突起部２４は、端子仕切板２３の上方側端部において、上下方向から見た場合に、端子側分割空間部２ｊに突出して形成されている。本実施形態における突起部２４は、内壁面２０ｄにも連結する。突起部２４は、端子仕切板２３から、隣り合う端子側分割空間部２ｊにそれぞれ突出して形成されている。つまり、１つの端子側分割空間部２ｊには、長手方向において対向して２つの突起部２４が形成されている。突起部２４の幅方向における幅は、突起部２４のバスバー３側の端部と仕切板２２との間を端子４が貫通することができる幅に形成されている。
【００２１】
隔壁２５は、図２及び図３に示すように、上方側空間部２ｆに設けられる。隔壁２５は、収容空間部２ｃに収容する電子部品５の数に応じて、長手方向において、複数形成されている。各隔壁２５は、上方側空間部２ｆを長手方向において分割して、分割空間部２ｋを形成するものである。本実施形態における各隔壁２５は、長手方向において等間隔に形成されており、電子部品５が個々に収容される。隔壁２５は、平板状に形成され、幅方向において、周壁２０の幅方向において対向する内壁面２０ｃと内壁面２０ｄとを連結して形成される。隔壁２５は、上下方向において、位置決め底板２１及び端子仕切板２３の上方側端面から上方側に向かって突出し、上方側開口部２ｅまで、延在して設けられる。つまり、隔壁２５は、上下方向において、端子仕切板２３と連続しており、端子仕切板２３と一枚の平板を形成する。
【００２２】
隔壁２５は、スリット２５ａが形成されている。スリット２５ａは、バスバー３の矩形部３０が挿入されるものである。スリット２５ａは、上下方向において、隔壁２５の下方側端部から、上方向に向かって形成される。スリット２５ａは、長手方向において、隔壁２５を貫通して形成されており、隣り合う分割空間部２ｋがスリット２５ａを介して連通する。スリット２５ａは、幅方向において、位置決め底板２１と対向して形成されており、スリット２１ａと連通して形成される。スリット２５ａの上方側端部は、バスバー３を収容空間部２ｃに挿入したとき、バスバー３の上方側の移動を規制するため、隔壁２５の上方側端部より下方側の位置に形成される。
【００２３】
ここで、バスバー側空間部２ｈには、バスバー保持部２６及びバスバー規制部２７ａ，２７ｂが設けられる。バスバー保持部２６は、図３及び図４に示すように、内壁面２０ｃからバスバー側空間部２ｈに突出して形成される。バスバー保持部２６は、バスバー３がバスバー側空間部２ｈに収容されたとき、バスバー３の矩形部３０の下方側端部と接触し、スリット２５ａとともにバスバー３の上下方向における移動を規制することで、バスバー３の矩形部３０がスリット２５ａに挿入された状態で、バスバー３を保持する。バスバー保持部２６は、上下方向において、下方側から上方側に向かって、内壁面２０ｃから離間した状態で突出して、弾性変形可能に形成される。バスバー規制部２７ａ，２７ｂは、幅方向において対向して形成され、長手方向において等間隔に形成される。バスバー規制部２７ａ，２７ｂは、バスバー３が間に挿入されることで、バスバー３の幅方向に対する移動を規制するものである。バスバー規制部２７ａは、内壁面２０ｃに対応する壁部に形成され、位置決め底板２１の下方側端面から下方側開口部２ｄまで、下方向に延在して形成される。バスバー規制部２７ｂは、仕切板２２に形成され、位置決め底板２１の下方側端面から下方側開口部２ｄまで、下方向に延在して形成される。バスバー規制部２７ａ，２７ｂの下方側端部には、バスバー３の挿入を容易にするための傾斜面がそれぞれ形成され、傾斜面の幅方向における面間距離が下方側に向かって長くなる。
【００２４】
各端子側分割空間部２ｊには、端子保持部２８及び端子規制部２９ａ，２９ｂがそれぞれ設けられる。端子保持部２８は、図４に示すように、内壁面２０ｄから端子側分割空間部２ｊに突出して形成される。端子保持部２８は、端子４が各端子側分割空間部２ｊに収容されたとき、端子４の凹部に挿入され、仕切板２２との間で、端子４の上下方向における移動を規制することで、端子４を保持する。端子保持部２８は、上下方向において、下方側から上方側に向かって、内壁面２０ｄから離間した状態で突出して、弾性変形可能に形成される。端子規制部２９ａ，２９ｂは、幅方向において対向して形成され、長手方向において等間隔に形成される。端子規制部２９ａ，２９ｂは、端子４が間に挿入されることで、端子４の幅方向に対する移動を規制するものである。端子規制部２９ａは、仕切板２２に形成され、仕切板２２の途中から下方側開口部２ｄまで、下方向に延在して形成される。端子規制部２９ｂは、内壁面２０ｄに対応する壁部に形成され、突起部２４の下方側端面から下方側開口部２ｄまで、下方向に延在して形成される。端子規制部２９ａ，２９ｂの下方側端部には、端子４の挿入を容易にするための傾斜面がそれぞれ形成され、傾斜面の幅方向における面間距離が下方側に向かって長くなる。
【００２５】
バスバー３は、図２、図３に示すように、電子部品５と電気的に接続される。本実施形態におけるバスバー３は、図示しない電源から供給された電力を各電子部品５及び各端子４を介して、バスバー３と電気的に接続される車両に搭載された各種電子機器に分配供給するものである。バスバー３は、矩形部３０と、電源側保持部３１とを有する。バスバー３は、平板状に形成され、矩形部３０及び電源側保持部３１が一体として形成される。バスバー３は、内部空間部２ａに収容されたとき、矩形部３０が電源空間部２ｂ及び収容空間部２ｃに収容され、電源側保持部３１が電源空間部２ｂに収容される。さらに、矩形部３０は、スリット２１ａを介してスリット２５ａに挿入され、各分割空間部２ｋにそれぞれ露出する。矩形部３０は、上方側端部が上方向に向かって細くなるように形成される。矩形部３０は、各分割空間部２ｋの内部で、各電子部品５と電気的に接続されることで、バスバー３におけるタブ部として機能する。矩形部３０は、電源空間部２ｂに位置する部分に、貫通孔３０ａが形成される。貫通孔３０ａには、図示しない電源に電気的に接続されるスタッドボルトが挿入される。電源側保持部３１は、貫通孔３０ａに挿入されたスタッドボルトに接続される電線等を固定するものである。
【００２６】
端子４は、図１に示すように、電子部品５と電気的に接続されるものである。端子４は、電線の一方の端部に取り付けられており、電線の他方の端部と電気的に接続される車両に搭載された各種電子機器と電気的に接続するものである。端子４は、電線が取り付けられた状態で、収容空間部２ｃ、すなわち各端子側分割空間部２ｊにそれぞれ収容される。端子４は、例えば、金属製であり、矩形状に形成された平板状の端子タブ部４ａと、端子タブ部４ａから電線の配線方向に連結される筒状の電線圧着部４ｂとを有する。端子タブ部４ａは、電子部品５に挿入されることで、負荷側接続部５３と電気的に接続される。電線圧着部４ｂは、内部に配置した電線を圧着することで、端子４に対して電線を電気的に接続した状態で、固定する。端子タブ部４ａは、上方側端部（先端部）が上方向に向かって細くなるように形成される。
【００２７】
電子部品５は、バスバー３と端子４とを電気的に接続するものであり、ここでは種々の機能を発揮する素子である。本実施形態における電子部品５は、接続部にスリット形状を有するメス型のヒュージブルリンク５１である。ヒュージブルリンク５１は、電力分配回路の一部に組み込まれ、過電流が流れたときに電力分配回路を遮断するものである。ヒュージブルリンク５１は、図４に示すように、バッテリなどの電源側の端子として機能するバスバー３に接続される電源側接続部５２と、車両内の各種電子機器の負荷側の端子４と接続される負荷側接続部５３とを有する。電源側接続部５２及び負荷側接続部５３は、導電性を有する板状の可溶体を介して、電気的に接続される。ここで、可溶体は、例えば、幅を狭めた帯状の導電部に低融点金属チップを溶着させた構成で、過電流が流れたときに溶断し、電源側接続部５２と負荷側接続部５３との電気的な接続を遮断する。可溶体の過電流とは、例えば、予め設定された定格以上の電流であり、予め設定された定格以上の電流が可溶体に流れたときに、可溶体が溶断する。各接続部は、接続される各端子に応じて、様々な形状を有する。本実施形態において、各接続部は、ヒュージブルリンク５１の内部において二股端子が配置されるため、スリット形状が形成される。ヒュージブルリンク５１は、分割空間部２ｋに収容される際に、電源側接続部５２にバスバー３が挿入され、負荷側接続部５３に端子タブ部４ａが挿入される。
【００２８】
次に、本実施形態における電子部品ユニット１の組み立て手順について説明する。まず、作業員は、バスバー３の貫通孔３０ａに、スタッドボルトを挿入し固定するとともに、電源側保持部３１によりスタッドボルトに接続される電線等を固定する。これにより、バスバー３は、電源と電気的に接続される。次に、作業員は、バスバー３を収容部材２の下方側開口部２ｄからバスバー側空間部２ｈに、上方向に向かって挿入する。このとき、バスバー３は、矩形部３０の一部が収容空間部２ｃの内部に位置し、電源側保持部３１が電源空間部２ｂに位置する。作業員は、バスバー３をさらに上方向に向かって挿入する。これにより、バスバー３の上方側端部、すなわち、矩形部３０の上方側端部がスリット２１ａを介してスリット２５ａに挿入され、矩形部３０の一部がスリット２５ａに挿入され、一部が隣り合うスリット２５ａの間、すなわち分割空間部２ｋに位置する。このとき、バスバー３は、バスバー保持部２６を弾性変形させつつ、バスバー保持部２６を乗り越え、バスバー保持部２６の上方側に位置する。これにより、バスバー３は、矩形部３０が各分割空間部２ｋの内部に露出した状態で、収容部材２に対して保持される。
【００２９】
次に、作業員は、各端子４を収容部材２の下方側開口部２ｄから各端子側分割空間部２ｊに、上方向に向かってそれぞれ挿入する。作業員は、各端子４をさらに上方向に向かって挿入する。これにより、端子４の上方側端部、すなわち、端子タブ部４ａが位置決め底板２１と、内壁面２０ｄとの間を介して、各分割空間部２ｋに位置する。このとき、端子４は、端子保持部２８を弾性変形させつつ、端子タブ部４ａが端子保持部２８を乗り越え、凹部に端子保持部２８が位置する。これにより、端子４は、端子タブ部４ａが分割空間部２ｋの内部に露出した状態で、収容部材２に対して保持される。
【００３０】
次に、作業員は、各分割空間部２ｋの内部に矩形部３０及び端子タブ部４ａが露出した状態で、電子部品５としての各ヒュージブルリンク５１を上方側開口部２ｅから各分割空間部２ｋに下方向に向かってそれぞれ挿入する。このとき、ヒュージブルリンク５１は、電源側接続部５２及び負荷側接続部５３が露出状態のバスバー３及び端子タブ部４ａと上下方向において対向した状態で、下方向に向かってそれぞれ挿入される。作業員は、各ヒュージブルリンク５１をさらに下方向に向かって挿入する。これにより、電源側接続部５２に矩形部３０が挿入され、負荷側接続部５３に端子タブ部４ａ、すなわち端子４が挿入される。作業員は、各ヒュージブルリンク５１をさらに下方向に向かってさらに挿入して、ヒュージブルリンク５１の下方側端部を位置決め底板２１及び突起部２４と接触させる。これにより、電子部品５は、収容空間部２ｃに収容される。以上の手順により、収容部材２の収容空間部２ｃにて、バッテリ等の電源と、バスバー３と、電子部品５と、端子４と、各種電子機器とが電気的に接続され、電子部品ユニット１が構成される。なお、端子４は、バスバー３を収容部材２に収容した後で、収容部材２に収容される組み立て手順としたが、先に収容部材２に収容させる組み立て手順としてもよい。
【００３１】
以上のように、本実施形態に係る電子部品ユニット１は、収容部材２における隣り合う分割空間部２ｋに挟まれた隔壁２５に、バスバー３の矩形部３０を挿入するスリット２５ａを設けるので、スリット２５ａに矩形部３０を挿入した状態で、バスバー３を保持することで、矩形部３０が隔壁２５を貫通し、隔壁２５を挟んで隣り合う分割空間部２ｋの内部に矩形部３０を露出させることができる。従って、各分割空間部２ｋにおいて収容される各電子部品５をバスバー３の１つの矩形部３０と、それぞれ電気的に接続することができる。つまり、バスバー３は、１つの矩形部３０がタブ部と接続部として機能するため、各タブ部がそれぞれ独立し、各タブ部が接続部と連結される形状のバスバーと比較して、外形を１つの矩形形状とすることができるので、外形形状を簡易化させることができる。これにより、各分割空間部２ｋの内部でバスバー３を各電子部品５と電気的にそれぞれ接続することができるとともに、バスバー３の外形形状を簡易化することができる。
【００３２】
バスバー３の外形形状を簡易化することにより、バスバー３を成型する金型の転写形状をも簡易化することができるので、金型の製造コストやメンテナンスコストを削減することができる。また、１つの矩形部３０によりタブ部と接続部とを一体化させているので、各タブ部がそれぞれ独立し、各タブ部が接続部と連結される形状のバスバーと比較して、上下方向におけるタブ部を形成するための長さが不要となるので、上下方向の長さを小さくすることができる。また、タブ部としての形状に制約がないので、各タブ部がそれぞれ独立し、各タブ部が接続部と連結される形状のバスバーと比較して、分割空間部２ｋに収容される電子部品５の大きさ、特に、Ｘ方向における幅に依存したタブ部の形状とすることがない。従って、収容部材２の大きさが同じで、収容される電子部品５のＸ方向における幅が異なっても（収容部材２に形成される分割空間部２ｋの数が変更しても）、同一のバスバー３を用いることができるので、バスバー３の汎用性が向上でき、製造コストを削減することができる。また、バスバー３において、電子部品５が電気的に接続されている部分（タブ部相当部分）に着目すると、各タブ部が独立して形成されている場合と比較して、隣り合うタブ部相当部分との隙間が埋められているため、バスバー３の体積を大きくすることができる。これにより、電子部品５に電力が供給されることで、電子部品５が発熱しても、熱がバスバー３により多く移動することができる。また、移動した熱のバスバー３における放熱性を向上させることができる。また、複数のタブ部を１つの矩形部３０とするので、バスバー３の強度を向上することができる。
【００３３】
また、本実施形態に係る電気接続箱１００は、スリット２５ａに矩形部３０を挿入した状態で、バスバー３を保持することで、隔壁２５を挟んで隣り合う分割空間部２ｋの内部に矩形部３０を露出させることができるので、各分割空間部２ｋの内部でバスバー３を各電子部品５と電気的にそれぞれ接続することができるとともに、バスバー３の外形形状を簡易化することができる。
【００３４】
［実施形態２］
次に、実施形態２に係る電子部品ユニット及び電気接続箱について説明する。図５は、実施形態２に係るバスバーの斜視図である。図６は、実施形態２に係るバスバーの模式図である。実施形態２に係る電子部品ユニットが実施形態１に係る電子部品ユニット１となる点は、バスバー６の形状である。なお、上述した実施形態１と共通する構成、作用、効果については、重複した説明はできるだけ省略する。
【００３５】
バスバー６は、電子部品５及び図示しない電子部品と電気的に接続される。本実施形態におけるバスバー６は、図５、図６に示すように、平板状に形成され、第１矩形部６０と、第２矩形部６１と、二股端子部６２とを備える。
【００３６】
第１矩形部６０は、実施形態１における矩形部３０に相当するものであり、長手方向のうち、第２矩形部６１側の端部において第２矩形部６１と連結される。第１矩形部６０は、長手方向のうち、第２矩形部６１側と反対側の上方向端部において二股端子部６２と連結される。ここで、本実施形態におけるバスバー６では、第１矩形部６０及び第２矩形部６１が、上下方向から見た場合に直交しているか、交差していればよい。
【００３７】
第２矩形部６１は、バスバー保持部２６により収容部材２に対して保持された、バスバー６を係止するものである。第２矩形部６１は、幅方向のうち、第１矩形部６０側の端部において第１矩形部６０と連結される。第２矩形部６１は、幅方向の途中において、第１壁面６１ａと第２壁面６１ｂとを貫通する係止孔６１ｃが形成される。
【００３８】
二股端子部６２は、図示しない電子部品を狭持することで、バスバー６と図示しない電子部品とを電気的に接続するものである。二股端子部６２は、一対の延在部６２ａと、スリット６２ｂとを有する。一対の延在部６２ａは、長手方向において離間して、かつ第１矩形部６０の上方側端部から上方向に向かって延在して形成される。スリット６２ｂは、一対の延在部６２ａとの間の空間であり、図示しない電子部品が挿入される部分である。
【００３９】
収容部材２は、バスバー６、端子４、電子部品５、図示しない電子部品を内部に収容する部材である。収容部材２は、図６に示すように、本体部２００と、延在部２０１とを有する（同図二点差線）。
【００４０】
本体部２００は、実施形態１における収容空間部２ｃが形成され、隔壁２５により複数の分割空間部２ｋが形成されるものであり、第１矩形部６０を収容するものである。本体部２００は、長手方向のうち、延在部２０１側の端部において延在部２０１と連結される。ここで、バスバー６がバスバー保持部２６により保持された保持状態において、第１矩形部６０の上下方向の長さよりも、バスバー保持部２６とスリット２５ａの上方側端部との間の距離が長く設定されている。つまり、バスバー６は、保持状態において、第１矩形部６０がバスバー保持部２６と接触していると、第１矩形部６０の上方側端部とスリット２５ａの上方側端部との間に隙間が形成されることとなる。
【００４１】
延在部２０１は、バスバー６の一部、すなわち第２矩形部６１を収容するものである。延在部２０１は、第１壁部２０２と、第２壁部２０３と、延在空間部２０４と、図示しない係止突起と、移動抑制部２０５と、を有する。第１壁部２０２は、延在部２０１の延在方向、すなわち幅方向に延在して形成される。第１壁部２０２は、バスバー６が収容部材２に収容された収容状態において、第２矩形部６１の第２壁面６１ｂと長手方向において対向する。第２壁部２０３は、第１壁部２０２と平行に、幅方向に延在して形成される。第２壁部２０３は、収容状態において、第２矩形部６１の第１壁面６１ａと長手方向において対向する。ここで、第１壁部２０２と第２壁部２０３との間に、延在空間部２０４が形成される。
【００４２】
延在空間部２０４は、幅方向から見た場合に、第２矩形部６１の厚みよりも長く、すなわち広い間隔で形成されており、収容状態において、第２矩形部６１と、第１壁部２０２及び第２壁部２０３との間に、隙間が形成されるように設定される。係止突起は、例えば、第２壁部２０３から延在空間部２０４に突出して形成され、係止孔６１ｃに挿入されるものである。係止突起は、係止孔６１ｃに挿入されることで、バスバー６が収容部材２から外れることを抑制するものであり、係止突起が係止孔６１ｃに挿入された状態であっても、バスバー６は収容部材２に対して所定の範囲、相対移動することが可能である。なお、本実施形態では、第１壁部２０２及び第２壁部２０３は、本体部２００側と反対側の端部で連結されている。
【００４３】
移動抑制部２０５は、バスバー６の収容部材２の内部での収容部材２に対する相対移動を抑制するものである。移動抑制部２０５は、同一方向にあるバスバー６に図示しない電子部品の挿入力が作用する部分及びバスバー６を保持する部分に対して、同一方向と交差する方向において、バスバー６と離間した状態で、対向して設けられている。本実施形態における移動抑制部２０５は、長手方向に形成された二股端子部６２及びバスバー保持部２６に対して、直交する方向である幅方向において、第２矩形部６１と長手方向において対向して形成されている。移動抑制部２０５は、第２矩形部６１と第１壁部２０２との間に設けられており、第１壁部２０２の第２矩形部６１と対向する壁面から第２矩形部６１に向かって突出して形成される。移動抑制部２０５は、上下方向において、少なくとも第２矩形部６１の第２壁面６１ｂの下方側端部と長手方向において対向する第１壁部２０２の下方側端部に形成される。ここで、移動抑制部２０５は、後述するバスバー６がバスバー保持部２６を中心に反時計回りに回転する際に、第１矩形部６０がスリット２５ａの上方側端部と接触する前に、第２矩形部６１と接触するように設定されている。
【００４４】
次に、二股端子部６２に図示しない電子部品が挿入された際の、バスバー６の動作について説明する。図６に示すように、二股端子部６２に電子部品を下方向に挿入すると、二股端子部６２に下方向Ｃ１の挿入力が作用する。このとき、バスバー６は、挿入力により、下方向Ｃ１に外力が作用することとなり、バスバー保持部２６とバスバー６とが接触することとなる。このとき、幅方向から見た場合に、下方向Ｃ１の挿入力が作用する二股端子部６２と、バスバー６を下方向から保持するバスバー保持部２６とは離間している。従って、バスバー保持部２６が支点として機能して、幅方向から見た場合に、バスバー保持部２６を中心に、バスバー６を回転しようとする回転力が作用する。これにより、長手方向から見た場合に、第１矩形部６０のうち、バスバー保持部２６よりも第２矩形部６１側及び第２矩形部６１は、反時計回りＣ２，Ｃ３に回転しようとする。
【００４５】
第２矩形部６１は、バスバー保持部２６からの距離が最も長く、大きく変化する。従って、第２矩形部６１の下方側端部は、上方向かつ長手方向の二股端子部６２側と反対側に移動を開始しようとする。しかしながら、第２矩形部６１の下方側端部は、長手方向において移動抑制部２０５と対向しているため、第２矩形部６１が移動抑制部２０５と接触する。これにより、バスバー６のバスバー保持部２６を中心とする反時計回りの回転が抑制される。つまり、下方向Ｃ１の挿入力を、バスバー６がバスバー保持部２６を中心とする反時計回りの回転をするために用いられることを抑制できるため、図示しない電子部品を二股端子部６２に挿入する際の挿入力が大きくなることを抑制することができる。従って、電子部品５をバスバー６に挿入することによるバスバー６の変形を抑制することができるので、電子部品５とバスバー６との接続信頼性を向上させることができる。
【００４６】
なお、上記実施形態２では、保持状態において、第２矩形部６１と移動抑制部２０５が離間しても設けられるが、接触していてもよい。また、移動抑制部２０５は、第２壁部２０３に形成されていてもよい。この場合、移動抑制部２０５は、上下方向において、少なくとも第２矩形部６１の第１壁面６１ａの上方側端部と長手方向において対向する第２壁部２０３の上方側端部に形成される。また、移動抑制部２０５は、第１壁部２０２及び第２壁部２０３の双方に形成されていてもよい。この場合、２つの移動抑制部２０５は、幅方向から見た場合に、上下方向及び長手方向において対角状に第２矩形部６１を挟むことになるので、バスバー６のバスバー保持部２６を中心とする反時計回りの回転がさらに抑制され、バスバー６の変形をさらに抑制することができ、バスバー６と電子部品５との接続信頼性をさらに向上させることができる。
【符号の説明】
【００４７】
１  電子部品ユニット
２  収容部材
２ａ  内部空間部
２ｂ  電源空間部
２ｃ  収容空間部
２ｄ  下方側開口部
２ｅ  上方側開口部
２ｆ  上方側空間部
２ｇ  下方側空間部
２ｈ  バスバー側空間部
２ｉ  端子側空間部
２ｊ  端子側分割空間部
２ｋ  分割空間部
２０  周壁
２０ａ〜２０ｄ  内壁面
２１  位置決め底板
２１ａ  スリット
２２  仕切板
２３  端子仕切板
２４  突起部
２５  隔壁
２５ａ  スリット
２６  バスバー保持部
２７ａ，２７ｂ  バスバー規制部
２８  端子保持部
２９ａ，２９ｂ  端子規制部
３  バスバー
３０  矩形部
３０ａ  貫通孔
３１  電源側保持部
４  端子
４ａ  端子タブ部
４ｂ  電線圧着部
５  電子部品
５１  ヒュージブルリンク
５２  電源側接続部
５３  負荷側接続部
６  バスバー
６０  第１矩形部
６１  第２矩形部
６１ａ  第１壁面
６１ｂ  第２壁面
６１ｃ  係止孔
６２  二股端子部
６２ａ  延在部
６２ｂ  スリット
１００  電気接続箱
１０１  筐体
１０２  筐体内部空間部
２００  本体部
２０１  延在部
２０２  第１壁部
２０３  第２壁部
２０４  延在空間部
２０５  移動抑制部
Ｃ１  下方向
Ｃ２，Ｃ３  反時計回り
【図１】
0006374416.tif 000002
【図２】
0006374416.tif 000003
【図３】
0006374416.tif 000004
【図４】
0006374416.tif 000005
【図５】
0006374416.tif 000006
【図６】
0006374416.tif 000007